(57)【特許請求の範囲】
【請求項１】
室内に複数台配設されたベッド間に設置され、ベッド間を仕切る方向に立設する仕切壁を備え、仕切壁には、座板と座板を支持する支持脚を備え、座板は、座板の仕切壁側を水平回動軸として、使用状態から上方に向かって回動し仕切壁面と略平行な状態で収納され、支持脚は、支持脚の仕切壁側を垂直回動軸として、座板支持状態から水平方向に回動し、仕切壁面と略平行な状態で収納され、座板と支持脚が収納された状態で、座板が回動操作されると、支持脚に備えた当接片に当接し座板の回動を阻止する間仕切家具において、当接片は、支持脚のヒンジ側上部の一部が上方に突出し、その上面の当接面が、収納された座板の下端面に当接して、座板の回動を阻止し、支持脚が使用状態の時、当接片を収納し、座板が回動できるようにする当接片収納部が設けられ、当接片収納部は、座板のヒンジ側で、支持脚の使用状態で、前記当接片が収納される切り欠きで、椅子の使用状態で、座板の表面と当接面の上面は略フラットになるよう構成されると共に、当接片の水平方向の回動を阻止し、支持脚の水平方向の回動を防止することを特徴とする間仕切り家具。
【請求項２】
室内に複数台配設されたベッド間に設置され、ベッド間を仕切る方向に立設する仕切壁を備え、仕切壁には、座板と座板を支持する支持脚を備え、座板は、座板の仕切壁側を水平回動軸として、使用状態から上方に向かって回動し仕切壁面と略平行な状態で収納され、支持脚は、支持脚の仕切壁側を垂直回動軸として、座板支持状態から水平方向に回動し、仕切壁面と略平行な状態で収納される間仕切家具において、座板あるいは支持脚の少なくともいずれか一方に、座板と支持脚が収納された状態で、座板が回動操作されると、他方の座板あるいは支持脚に当接し座板の回動を阻止する当接片を備え、当接片は、収納状態における座板の下部側に具備されたことを特徴とする間仕切家具。
【請求項３】
仕切壁の所定の位置に、座板が使用状態のとき、当接片を収容する当接片収納部を具備する請求項２に記載の間仕切家具。
【発明の詳細な説明】
【技術分野】
【０００１】
本発明は、病室の大部屋や介護・養護施設の多床室のベッド間に設置する間仕切家具に関する。
【背景技術】
【０００２】
病室などの大部屋に収容された患者のプライバシー空間を形成するため、大部屋に複数配置されたベッドの間に、間仕切家具を設置する方法が知られている。  
【０００３】
通常、大部屋は、平面視略四角形を成した部屋であって、部屋の一壁面が、病院内の廊下側に面して形成され、該壁面の略中央に引戸式出入口扉が設けられ、該壁面の対向側の壁面に建屋外を臨む窓が設置される。
【０００４】
そして、この部屋は、出入口扉から窓側に向って設定された通路により二分され、二分された病室の一方の廊下側に、廊下側壁面と平行にベッドが配置され、窓側に、窓側壁面と平行にベッドが配置され、通路を挟む対向側にも、同様な方向でベッドが配置され、合計で４台のベッドが配置され４床室とされる。
【０００５】
そして、窓側に配置されたベッドと廊下側に配置されたベッドとの間に、ベッドと平行に間仕切家具が設置され、各々のベッド空間のプライバシーが確保されている。
このような、ベッド間に設置される間仕切家具は、一般的に、仕切壁の他、テーブル用天や椅子などを備えている。
【０００６】
しかしながら、このような間仕切家具で大部屋が仕切られ、患者のプライバシー空間が形成された場合、施設によっては間仕切家具の設置平面積によって、１床当たりの床面積が削られ、患者の使用できる空間が狭くなり過ぎる場合がある。そのため、天板あるいは椅子を仕切壁側に収納式に施すことによって間仕切家具を小型化し、ベッドと間仕切家具の間の空間をできるだけ大きくすることが行われている。（例えば、特許文献１参照。）
【先行技術文献】
【特許文献】
【０００７】
【特許文献１】特開２００７−２５４１公報
【発明の概要】
【発明が解決しようとする課題】
【０００８】
このような間仕切家具に設置される収納可能な椅子は、通常、面会者などの使い勝手のわからない不特定多数の人が使用することになる。
特許文献１に記載されるように、椅子の座板が、座板の仕切壁側を水平回動軸として、水平回動軸の下方側に回動し、座板が仕切壁面の一部となるように収納され、椅子の使用時には、座板を下方から上方に回動展開し、別途収納されていた支持脚を展開し、座板を使用状態とするものは、支持脚を展開しなければ、座板を使用状態にすることができないので、誤って支持脚を展開せずに着座することはないが、座板の使用面が、座板の収納時に間仕切家具の表面下方部に位置し、表面側に露出することになるので、座板の使用面に人の靴などが接触し易く、衛生面や院内感染防止の上において好ましくない。
【０００９】
逆に、椅子の座板が、座板の仕切壁側を水平回動軸として、水平回動軸の上方側に回動し、座板が仕切壁面の一部となるように収納され、椅子の使用時には、別途収納されている支持脚を展開し、座板を上方から下方に回動展開し、座板を支持脚に載置することにより座板を使用状態とするものは、先に支持脚を展開していない時に、座板の展開操作し、使用者が誤って座板の収納状態から下方部に向かって１８０度展開させてしまい、座板が仕切壁部に衝突し、大きな衝突音を発生させ他の患者の迷惑になるばかりか破損することもある。また、座板の前記収納状態から９０度展開した状態で、座板が簡易的に止まるようにストッパーを設けたとしても、支持脚が使用状態にないときに、使用者が座板に着座する可能性があり危険である。
他に、支持脚を展開した使用状態で、誤って支持脚に蹴飛ばしたりした場合、支持脚が回動し、予期せず収納状態になり、この状態で使用者が着座する可能性があり危険である。
【００１０】
本願発明は、このような問題に鑑み、支持脚が収納状態のときは、座板を使用状態にできない安全で使い勝手のよい間仕切家具の提供を課題とするものである。
【課題を解決するための手段】
【００１１】
そこで、上記課題を解決する為、本発明が第１の手段として構成したところは、室内に複数台配設されたベッド間に設置され、ベッド間を仕切る方向に立設する仕切壁を備え、仕切壁には、座板と座板を支持する支持脚を備え、座板は、座板の仕切壁側を水平回動軸として、使用状態から上方に向かって回動し仕切壁面と略平行な状態で収納され、支持脚は、支持脚の仕切壁側を垂直回動軸として、座板支持状態から水平方向に回動し、仕切壁面と略平行な状態で収納され、座板と支持脚が収納された状態で、座板が回動操作されると、支持脚に備えた当接片に当接し座板の回動を阻止する間仕切家具において、当接片は、支持脚のヒンジ側上部の一部が上方に突出し、その上面の当接面が、収納された座板の下端面に当接して、座板の回動を阻止し、支持脚が使用状態の時、当接片を収納し、座板が回動できるようにする当接片収納部が設けられ、当接片収納部は、座板のヒンジ側で、支持脚の使用状態で、前記当接片が収納される切り欠きで、椅子の使用状態で、座板の表面と当接面の上面は略フラットになるよう構成されると共に、当接片の水平方向の回動を阻止し、支持脚の水平方向の回動を防止する間仕切り家具である。
【００１２】
次に上記課題を解決する為、本発明が第２の手段として構成したところは、室内に複数台配設されたベッド間に設置され、ベッド間を仕切る方向に立設する仕切壁を備え、仕切壁には、座板と座板を支持する支持脚を備え、座板は、座板の仕切壁側を水平回動軸として、使用状態から上方に向かって回動し仕切壁面と略平行な状態で収納され、支持脚は、支持脚の仕切壁側を垂直回動軸として、座板支持状態から水平方向に回動し、仕切壁面と略平行な状態で収納される間仕切家具において、座板あるいは支持脚の少なくともいずれか一方に、座板と支持脚が収納された状態で、座板が回動操作されると、他方の座板あるいは支持脚に当接し座板の回動を阻止する当接片を備え、当接片は、収納状態における座板の下部側に具備された間仕切家具である。
【００１３】
次に上記課題を解決する為、本発明が第３の手段として構成したところは、第２の手段として構成したところに加え、仕切壁の所定の位置に、座板が使用状態のとき、当接片を収容する当接片収納部を具備するものである。
【発明の効果】
【００１７】
第１手段として構成したところによると、座板と支持脚が収納した状態で、座板を回動させると、座板あるいは支持脚に当接片が当接し座板の回動が阻止されるので、支持脚が使用状態にないときに、使用者が座板に着座することを防止することができる。
また、座板と支持脚は、別々の箇所に仕切壁面と略平行な状態で収納できるので、収納時の張り出しが小さくて済むばかりでなく見栄えがいい。さらに、簡単な構成なので部品点数が少なく、コストが安くできる。さらに、支持脚の収納状態における当接片の当接面と、座板の収納状態の下端面との間隔をより小さく設定することによって、座板の回動が阻止される時の座板の開き具合（角度）を小さく設定することができる。
したがって、座板と支持脚の収納状態で、支持脚の当接面を、常に座板の収納状態の下端面に当接させておくと、支持脚が使用状態にされるまで、座板がまったく回動できないようにすることができる。
【００１８】
第２手段として構成したところによると、座板と支持脚が収納した状態で、座板を回動させると、座板あるいは支持脚に当接片が当接し座板の回動が阻止されるので、支持脚が使用状態にないときに、使用者が座板に着座することを防止することができる。
座板と支持脚は、別々の箇所に仕切壁面と略平行な状態で収納できるので、収納時の張り出しが小さくて済むばかりでなく見栄えがいい。さらに、簡単な構成なので部品点数が少なく、コストが安くできる。
また、座板と支持脚が収納した状態で、座板を回動させると、当接片は支持脚に近く、座板が大きく回動することなく座板の回動を阻止できるので、使用者がわかりやすく使い勝手がよい。
【００１９】
第３手段として構成したところによると、第２の手段として構成したところの効果に加え、座板と支持脚が収納した状態で、当接片と支持脚の間隔を狭くしても、支持脚が使用状態のときに、当接片が、仕切壁に当接せず、座板が使用状態まで回動可能となり、支持脚が使用状態の時は、使用者が座板に着座できるので、支持脚が収納状態の時は、座板が大きく回動することなく座板の回動を阻止でき、使用者がわかりやすく使い勝手がよい。
【図面の簡単な説明】
【００２３】
【図１】本発明の間仕切家具の使用例を示す斜視図。
【図２】本発明の間仕切家具を示す斜視図。
【図３】本発明の副仕切体を示す斜視図。
【図４】本発明の間仕切家具の椅子が使用状態の時を示す正面図。
【図５】本発明の間仕切家具の椅子が使用状態の時を示す背面図。
【図６】本発明の間仕切家具の椅子が収納状態の時を示す正面図。
【図７】本発明の第１実施例の椅子が使用状態の時を示す概略右側面図。
【図８】本発明の第１実施例の座板が収納状態の時を示す概略右側面図。
【図９】本発明の第１実施例の椅子が収納状態の時を示す概略正面図。
【図１０】本発明の第１実施例の椅子が収納状態の時で座板の回動が阻止された時を示す概略右側面図。
【図１１】本発明の第１実施例の他の実施例の座板が収納状態の時を示す概略右側面図。
【図１２】本発明の第１実施例の他の実施例の椅子が収納状態の時を示す概略正面図。
【図１３】本発明の第１実施例の他の実施例の椅子が収納状態の時で座板の回動が阻止された時を示す概略右側面図。
【図１４】本発明の第２実施例の椅子が使用状態の時を示す概略正面図。
【図１５】本発明の第２実施例の椅子が収納状態の時を示す概略正面図。
【図１６】本発明の第２実施例の椅子が使用状態の時を示す概略右側面図。
【図１７】本発明の第２実施例の座板が収納状態の時を示す概略右側面図。
【図１８】本発明の第２実施例の他の実施例の椅子が収納状態の時で座板の回動が阻止された時を示す概略右側面図。
【図１９】図１４のＡ部拡大図。
【図２０】本発明の第３実施例の椅子が収納状態の時を示す概略正面図。
【図２１】本発明の第３実施例の椅子が使用状態の時を示す概略右側面図。
【図２２】本発明の第３実施例の他の実施例の椅子が収納状態の時で座板の回動が阻止された時を示す概略右側面図。
【図２３】本発明の第４実施例の椅子が収納状態の時を示す概略正面図。
【図２４】本発明の第４実施例の椅子が使用状態の時を示す概略正面図。
【図２５】本発明の第４実施例の椅子が使用状態の時を示す概略右側面図。
【図２６】本発明の第４実施例の椅子が使用状態の時を示す概略左側面図。
【図２７】本発明の第４実施例の他の実施例の椅子が収納状態の時で座板の回動が阻止された時を示す概略右側面図。
【図２８】本発明の第４実施例の他の実施例の椅子が使用状態の時を示す概略左側面図。
【発明を実施するための形態】
【００２４】
本発明は、室内に複数台配設されたベッド間に設置され、ベッド間を仕切る方向に立設する仕切壁を備え、仕切壁には、座板と座板を支持する支持脚を備え、座板は、座板の仕切壁側を水平回動軸として、使用状態から上方に向かって回動し仕切壁面と略平行な状態で収納され、支持脚は、支持脚の仕切壁側を垂直回動軸として、座板支持状態から水平方向に回動し、仕切壁面と略平行な状態で収納され、座板と支持脚が収納された状態で、座板が回動操作されると、支持脚に備えた当接片に当接し座板の回動を阻止する間仕切家具において、当接片は、支持脚のヒンジ側上部の一部が上方に突出し、その上面の当接面が、収納された座板の下端面に当接して、座板の回動を阻止し、座板のヒンジ側には、支持脚の使用状態で、前記当接片が収納される切り欠きが設けられ、椅子の使用状態で、座板の表面と当接面の上面は略フラットになるよう構成されると共に、当接片の水平方向の回動を阻止し、支持脚の水平方向の回動を防止する間仕切り家具である。
【００２５】
以下、本願発明の間仕切家具の構成を添付図面に基づいて詳述する。
【００２６】
本発明に係る間仕切家具１は、図１に示すように、病室の大部屋や介護・養護施設の多床室のベッドの間に設置し、患者のプライバシー空間を形成するものである。
【００２７】
間仕切家具１は、廊下側壁面（図示せず。）と建屋外を臨む窓Ｓ側壁面と、廊下側壁面と窓Ｓ側壁面の端部をつなぐ壁面Ｗで形成された病室で使用されるものであって、壁面Ｗ側を枕元側にして、廊下側壁面に平行に設置されるベッドＢ１と、窓Ｓ側壁面に平行に設置されるベッドＢ２との間に、ベッドの長尺方向と平行に配設されるものである。
【００２８】
間仕切家具１は、ベッド間を仕切る方向、すなわちベッドＢ１、Ｂ２の長尺方向を左右方向とし、左右方向に延び、所定の高さを有する仕切壁１０と、該仕切壁１０の左右両端部のそれぞれに取付けられる板状のベッド足元側の脚体１１、ベッド枕元側の脚体１２と、仕切壁１０のベッドの足元側に、仕切壁１０を挟む前後一対の天板１３、１３と、仕切壁１０のベッドの枕元側に、仕切壁１０を挟む前後一対の収納装置１４、１４とを備えており、天板１３と収納装置１４との間は所定の間隔１０１があけられている。
そして、天板１３と収納装置１４の間の所定の間隔１０１部の仕切壁１０には、椅子１５が備えられており、椅子１５は、座板１６と座板を支持する支持脚１７で構成されている。
【００２９】
座板１６の上方側の仕切壁１０の所定の位置に、半透明の樹脂製の採光板１０２が嵌め込まれ、採光性が保たれている。
採光板１０２は病室のレイアウトや照明器具の配置に応じて、半透明、不透明を使い分けてよい。
また、仕切壁１０ベッドの足元側の上方側には、液晶テレビなどのモニター１０３を設置することができる。
【００３０】
仕切壁１０の上部には、天井方向に向かって光を照射する照明ユニット１０４が設けられ、照明ユニット１０４は左右方向に延び、仕切壁１０の前後方向に張り出すように構成され、照明ユニット１０４の前記張り出した下面にカーテンレール１０５が設けられ、カーテンレール１０５にはカーテン１０６が吊り下げられている。
【００３１】
脚体１１、１２は、板状であって、仕切壁１０の前後方向に向かって張り出すように設けられ、高さは、前記天板１３の下面よりやや高い位置までであって、脚体１１、１２と仕切壁１０とで平面視Ｈ型を成すように構成されている。
【００３２】
天板１３は、平面視、前後方法に長い略長方形を成し、天板１３のベッドの足元側の下面が、脚体１１に設けられた天板受け１１１で支持され、天板１３の仕切壁１０側がヒンジ１３１、１３１を介して、仕切壁１０に支持されている。
そして天板１３は、ヒンジ１３１によって、上下方向に回動自在とされているので、天板１３は、使用状態から前記ヒンジ１３１を水平回動軸として上方にむかって回動し、使用状態から約９０度回動した位置で、仕切壁１０に備えられたマグネットキャッチ１０７に支持され収納状態とすることができる。
【００３３】
収納装置１４は、前方側が開口とされた筐体であって、前後方向に引き出す引出し１４１、１４１、１４１が備えられ、下部はオープン棚１４２とされている
当然ながら、収納装置１４には、引出しの代わりに開き扉を設けることもでき、筐体の大きさも用途に合わせて適宜設定することができる。
【００３４】
座板１６は、平面視、左右方向に長い長方形を成し、座板１６のベッドの枕側の下面が、収納装置１４に設けられた座板受け１４３支持され、座板１６の仕切壁１０側がヒンジ１６１、１６１を介して、仕切壁１０に支持されている。
座板１６のベッドの足元側の下面が、支持脚１７によって支持されている。
そして、座板１６は、ヒンジ１６１によって、上下方向に回動自在とされているので、座板１６は、使用状態から前記ヒンジ１６１を水平回動軸として上方にむかって回動し、使用状態から約９０度回動した位置で、仕切壁１０に備えられたマグネットキャッチ１０８に支持され収納状態とすることができる。
尚、座板１６は、平面視、左右方向に長い長方形を成しているが、これは複数人が座板に着座できるように配慮したものであり、間仕切家具１の左右の長さ、天板１３の大きさ、収納装置１４によって変動し、平面視、略正方形を成した一人掛け用の座板としてもよい。
【００３５】
支持脚１７は、板状であって、椅子１５の使用時に仕切壁１０と直交する方向に立設し、仕切壁１０側がヒンジ１７１、１７１を介して、仕切壁１０に支持されている。
そして支持脚１７は、ヒンジ１７１によって、水平方向に回動自在とされているので、支持脚１７は、使用状態から前記ヒンジ１７１を垂直回動軸として水平方向に回動し、使用状態から約９０度回動し、収納することができる。
【００３６】
椅子１５の使用時には、使用状態にされた支持脚１７の上面が、座板１６の下面に当接し、支持脚のヒンジ１６１側の反対側にあたる前端側下面に設けられたキャスター１７２が床面に当接し座板１６を支持している。キャスター１７２は、支持脚の回動操作時に、床上をキャスターが転がることによって、床を傷付けずスムーズな回動操作を可能にするものである。
【００３７】
尚、実施例においてマグネットキャッチ１０７、１０８は、簡単な操作で開閉ができるが、マグネットキャッチの代わりにラッチ、鉤などの他の方法でもかまわない。
【００３８】
そして、このように構成された間仕切家具１には、副仕切体２が着脱自在に装着され、ベッド間を仕切る長さを延長することができる。
【００３９】
副仕切体２は、板状の底板２０１と底板２０１に立設する副仕切壁２０２とで構成される。 
副仕切壁２０２は、上端が仕切壁１０と同じ高さに設定され、仕切壁１０の延長方向に立設し、底板２０１は、下面にキャスター２０３が装着され、副仕切体２が移動自在とされている。
【００４０】
副仕切体２には、必要に応じてベッドの足元側からの視線を遮るエンドパネル２０４や収納装置２０５、コートフック２０６などが備えられる。
【００４１】
間仕切家具１と副仕切体２は、副仕切体２に設けられたレバーの回動操作により現れる鉤２０７と、間仕切家具１に設けられた鉤孔１０９とが係合し連結される。
【実施例１】
【００４２】
このように構成された間仕切家具における第１実施例を、以下、図７〜図１３に基づいて詳述する。
【００４３】
実施例１において、座板１６の蝶番１６１は、使用状態における座板１６の上面１６ａ側に取り付けられており、蝶番１６１の水平回動軸１６１ａは、前記上面１６ａよりやや上方に位置している。
したがって、座板１６の使用状態の下面１６ｂの床からの高さ位置に対して、座板１６の収納状態の下端面１６ｃの床からの高さ位置は、座板１６の板厚とほぼ同じ寸法分高い位置になる。
【００４４】
支持脚１７は上部に当接片１７ａを有しており、当接片１７ａの上面は当接面１７ｂとされる。当接面１７ｂは、支持脚１７の収納状態において、座板１６の使用状態の下面１６ｂの床からの高さ位置より高く、座板１６の収納状態の下端面１６ｃの床からの高さ位置より低い位置になる高さで設定される。
【００４５】
したがって、支持脚１７の収納時に、座板１６が回動操作をされると、座板１６が一定角度回動したのち、座板１６の収納状態の下端面１６ｃが、支持脚１７の当接面１７ｂに当接し、座板１６の回動が阻止される。
【００４６】
座板１６の使用状態の下面１６ｂには、支持脚１７の使用状態における当接片１７ａが収容可能な正面視下向きコの字状の凹部１６ｄが設けられている。
【００４７】
したがって、支持脚１７が使用状態にあるときには、座板１６が収納状態から回動操作をされると、支持脚１７の当接片１７ａは、凹部１６ｄに収容され、座板１６は使用状態とすることができる。
【００４８】
凹部１６ｄは、椅子の使用状態において、当接片１７ａが凹部１６ｄに上部から抱え込まれるように支持されるので、椅子１５の使用状態で支持脚１７に水平方向に回動する力が加わると、当接片１７ａの垂直面と凹部１６ｄの垂直面とが当接し、支持脚１７に水平方向に回動することが規制される。
【００４９】
尚、座板１６の凹部１６ｄは、支持脚１７の当接面１７ｂ相当分の凹溝が必要となる。このような場合、座板１６の強度が凹溝によって不足することあるので、支持脚１７の当接面１７ｂの面積は小さい方が望ましい。
【００５０】
支持脚１７の収納状態における当接面１７ｂと、座板１６の収納状態の下端面１６ｃとの間隔をより小さく設定することによって、座板の回動が阻止される時の座板の開き具合（角度）を小さく設定することができる。
したがって、座板１６と支持脚１７の収納状態で、支持脚１７の当接面１７ｂを、常に座板１６の収納状態の下端面１６ｃに当接させておくと、支持脚１７が使用状態にされるまで、座板１６がまったく回動できないようにすることができる。
しかしながら、座板１６と支持脚１７の収納操作のし易さといった点においては、当接面１７ｂが常に当接するより若干の隙間を設けたほうが望ましい。
【００５１】
前記のように間隔を小さくした場合、椅子１５の使用状態では、座板１６の凹部１６ｄは、当接片１７ａが収容できる深さに設定しなければならない。
したがって、前記間隔がほぼない状態の場合、椅子の使用状態において、支持脚１７の当接面１７ｂと、座板１６の表面１６ａがほぼフラットになるため、凹部１６ｄは、座板１６を貫通した形態となる。
【００５２】
具体的には、図１１〜１３に示されるように、支持脚１７のヒンジ側上部の一部が上方に突出した当接片１７ａとされ、当接片１７ａの上面に当接面１７ｂが形成され、座板１６と支持脚１７の収納状態で、前記当接面１７ｂが座板１６の下端面１６ｃに当接し、座板１６の回動を阻止している。そして、座板１６のヒンジ側１６１には、椅子１５の使用状態において、前記当接片１７ａが収容される切り欠き１６ｅが設けられ、椅子１５の使用状態で、座板１６の表面１６ａと当接面１７ｂの上面は略フラットになるように構成されている。また、椅子１５の使用状態で支持脚１７に水平方向に回動する力が加わると、当接片１７ａの垂直面と切り欠き１６ｅの垂直面とが当接し、支持脚１７に水平方向に回動することが規制される。
尚、この場合、座板１６は、支持脚の当接片１７ａ以外の支持脚の上面で支えられている。
【００５３】
第１実施例における椅子１５の使用状態において、当接片１７ａの垂直面と、凹部１６ｄあるいは切り欠き１６ｅの垂直面との隙間を、支持脚１７が、水平方向にほとんど回動しないように小さくすることで、支持脚１７が収納状態と使用状態の中間位置にあるときは、座板１６の下面１６ｂと当接面１７ｂが当接し、座板１６が水平にならず（やや上向きになる）、使用状態とならない。したがって、支持脚１７が使用状態にあるときのみ、座板１６を使用状態にすることができる。    
【実施例２】
【００５４】
次に第２実施例を図１４〜図１９に基づいて詳述する。
【００５５】
第２実施例において、座板１６のヒンジ１６１、１６１の水平回動軸１６１ａは、座板の板厚方向の略中心に設定されている。
支持脚１７のヒンジ１７１、１７１の１７１ａ、支持脚の使用状態の平面視において、収納方向側に設定されている。
【００５６】
支持脚１７は上部が当接片１７ａとされ、当接片１７ａの上面は当接面１７ｂとされる。
支持脚１７のヒンジ１７１側の上部には、切り欠き１７ｃが形成されている。
切り欠き１７ｃは、支持脚１７が使用状態であって、座板１６が収納状態から使用状態に、操作される時、座板１６の回動を妨げないように設けられるものである。
【００５７】
支持脚１７の収納時に、座板１６が回動操作をされると、座板１６が一定角度回動したのち、座板１６の下端面１６ｃが、支持脚１７の当接面１７ｂに当接し、座板１６の回動が阻止される。
支持脚１７の使用状態の時には、座板１６が回動操作をされても、支持脚１７に切り欠き１７ｃが設けられているので、座板１６の下端面１６ａは、どこにも当接せずに使用状態まで回動させることができる。
【００５８】
切り欠き１７ｃは、座板１６の下端面１６ａが当接せずに使用状態まで回動させることができる最小限の大きさに設定すると、支持脚１７の使用状態寸前まで支持脚１７の当接面１７ｂを、下端面１６ａに当接させることができる。
【００５９】
そして、座板１６の使用状態の下面１６ｂには、支持脚１７の使用状態における当接片１７ａを支持する支持片１６２が設けられている。
【００６０】
支持片１６２は、座板１６の使用状態において、正面視下向きコの字状の収容凹部１６２ａを有しており、椅子の使用状態において、当接片１７ａが凹部１６２ａに上部から抱え込まれるように支持されており、収容凹部１６２ａの垂直面１６２ｂが、支持脚１７の左右方向の回動を防止し、収容凹部１６２ａの底面１６２ｃが、座板１６を支えている。
【００６１】
第２実施例における椅子１５の使用状態において、当接片１７ａの垂直面と、収容凹部１６２ａの垂直面１６２ｂとの隙間を、支持脚１７が、水平方向にほとんど回動しないように小さくすることで、支持脚１７が収納状態と使用状態の中間位置にあるときは、座板１６の下面１６ｂあるいは、支持片１６２の下面に当接面１７ｂが当接し、座板１６が水平にならず（やや下向きあるいは上向き）、使用状態とならない。したがって、支持脚１７が使用状態にあるときのみ、座板１６を使用状態にすることができる。
【００６２】
このように第１実施例、第２実施例は、座板と支持脚が収納状態にあるとき、支持脚上面に設けた当接面が、座板の回動する方向側の一部である収納状態の座板の下面に当接し、座板の回動を阻止するものである。
【実施例３】
【００６３】
次に第３実施例を図２０〜図２２に基づいて詳述する。
【００６４】
座板１６と支持脚１７の収納状態において、支持脚１７の上部に、座板１６の使用状態の下面１６ｂに当接する高さに設定された当接片１７ａが設けられ、当接片１７ａの座板面側の垂直面が当接面１７ｂとされ、当接面１７ｂが、座板１６の下面１６ｂに当接することによって、座板の回動を阻止させるものである。
【００６５】
座板１６の所定の箇所には、椅子の使用状態において、当接片１７ａを収容する切り欠き１６ｅが設けられている。
【００６６】
第３実施例における椅子１５の使用状態において、当接片１７ａの垂直面と、切り欠き１６ｅの垂直面との隙間を、支持脚１７が、水平方向にほとんど回動しないように小さくすることで、支持脚１７が収納状態と使用状態の中間位置にあるときも、当接面１７ｂが、座板１６の下面１６ｂに当接するので座板１６が使用状態とならない。したがって、支持脚１７が使用状態にあるときのみ、座板１６を使用状態にすることができる。
【実施例４】
【００６７】
次に第４実施例を図２３〜図２８に基づいて詳述する。
【００６８】
座板１６のヒンジ１６１は、使用状態における座板１６の上面１６ａ側に取り付けられており、ヒンジ１６１の水平回動軸１６１ａは、前記上面１６ａ側より上方に位置している。したがって、座板１６の使用状態の下面１６ｃの床からの高さ位置に対して、座板１６の収納状態の下端面１６ａの床からの高さ位置は、座板１６の板厚とほぼ同じ寸法分高い位置になるのは実施例１と同じである。
【００６９】
座板１６は、収納状態における下部に当接片１６ｆを有しており、座板１６の収納状態における当接片１６ｆの下端面は、当接面１６ｃとされる。
当接片１６ｆは、座板１６の使用状態の下面１６ｃの面に設けられ、座板１６の収納状態の下面１６ｃから下方に向かって、座板１６の板厚相当分突出している。
【００７０】
支持脚１７は上部に、当接片１７ａを有しており、当接片１７ａの上面は当接面１７ｂとされる。当接片１７ａは、座板１６と支持脚１７の収納状態において、前記当接面１６ｆの下方部位置に設けられている。
【００７１】
したがって、支持脚１７の収納時に、座板１６が回動操作をされると、座板１６が一定角度回動したのち、座板１６の当接面１６ｃと支持脚１７の当接面１７ｂが当接し、座板１６の回動が阻止される。
【００７２】
次に、仕切壁１０には、前記、当接片１６ｆを収容する逃がし孔１１０が設けられている。
したがって、支持脚１７が使用状態にあるときには、座板１６が収納状態から回動操作をされると、座板１６の当接片１６ｆは、逃がし孔１１０に収容され、座板１６は使用状態とすることができる。
【００７３】
座板１６の使用状態の下面１６ｃの当接片１６ｆと使用状態における支持脚１７の回動方向側面との間には、当接突起１６３が設けられる。
当接突起１６３によって、支持脚１７が収納状態と使用状態の中間位置にあるときも、当接面１７ｂが、突起１６３に当接するので座板１６が水平にならず（やや上向きになる）、使用状態とならない。したがって、支持脚１７が使用状態にあるときのみ、座板１６を使用状態にすることができる。
【００７４】
他方、図２８に示すように、仕切壁１０に逃がし孔を設けず、仕切壁１０の座板下面側に段部１１０ａを設けることにより当接片１６ｆを収容してもよい。
【００７５】
このように第１実施例〜第４実施例において、座板１６は、一方側が座板受け１４３に支持され、他方側が支持脚１７で支持されているが、座板受け１４３で支持せず、第１実施例〜第４実施例のそれぞれと同様に構成された支持脚１７を、左右に設置し座板を支持してもよい。
【産業上の利用可能性】
【００７６】
以上のように、本発明は、病室の大部屋や介護・養護施設の多床室のベッド間に設置し、患者のプライバシー空間を確保する間仕切家具にかかわるものであり、間仕切機能に加え、天板、椅子が収納可能であるから、病室の床面積に左右されず、病室の大部屋や介護・養護施設の多床室の患者のプライバシー空間を確保する間仕切りとして広く利用することができる。
【符号の説明】
【００７７】
Ｂ１              廊下側ベッド
Ｂ２              窓側ベッド
Ｗ                壁面
Ｓ                窓
１                間仕切家具
１５              椅子
１６              座板
１７              支持脚
１６ｃ            当接面
１６ｄ            凹部
１６ｅ            切り欠き
１６ｆ            当接片
１６２ａ          収容凹部
１７ａ            当接片
１７ｂ            当接面
１１０            逃がし孔
１１０ａ          段部
【図１】
0005869299.tif 000002
【図２】
0005869299.tif 000003
【図３】
0005869299.tif 000004
【図４】
0005869299.tif 000005
【図５】
0005869299.tif 000006
【図６】
0005869299.tif 000007
【図７】
0005869299.tif 000008
【図８】
0005869299.tif 000009
【図９】
0005869299.tif 000010
【図１０】
0005869299.tif 000011
【図１１】
0005869299.tif 000012
【図１２】
0005869299.tif 000013
【図１３】
0005869299.tif 000014
【図１４】
0005869299.tif 000015
【図１５】
0005869299.tif 000016
【図１６】
0005869299.tif 000017
【図１７】
0005869299.tif 000018
【図１８】
0005869299.tif 000019
【図１９】
0005869299.tif 000020
【図２０】
0005869299.tif 000021
【図２１】
0005869299.tif 000022
【図２２】
0005869299.tif 000023
【図２３】
0005869299.tif 000024
【図２４】
0005869299.tif 000025
【図２５】
0005869299.tif 000026
【図２６】
0005869299.tif 000027
【図２７】
0005869299.tif 000028
【図２８】
0005869299.tif 000029